(57)【要約】【課題】本発明は、防水性に優れる端子付電線の提供を目的とする。【解決手段】本発明の一態様に係る端子付電線は、導電性の芯線及びこの芯線の外周を被覆する絶縁層を有する絶縁電線と、この絶縁電線の一方の端部近傍に配設され、上記絶縁層の外周を被覆する筒状のシール部材と、上記絶縁電線の上記端部から延出するように配設され、上記芯線と電気的に接続される金属端子と、上記絶縁電線の上記シール部材被覆部位から上記金属端子の電気的接続部位までを少なくとも被覆する防水樹脂部とを備え、上記絶縁層がオレフィン系樹脂を主成分とし、上記防水樹脂部がポリエステル、ポリアミド、エチレン−酢酸ビニル共重合体又はこれらの混合樹脂を主成分とし、上記シール部材が、エチレン系樹脂を主成分とする筒状の内層と、この内層の外周側に積層され、ポリエステル、ポリアミド、エチレン−酢酸ビニル共重合体又はこれらの混合樹脂を主成分とする外層とを有する。【選択図】図１
2019008988.tif 000002
【特許請求の範囲】
【請求項１】
導電性の芯線及びこの芯線の外周を被覆する絶縁層を有する絶縁電線と、
この絶縁電線の一方の端部近傍に配設され、上記絶縁層の外周を被覆する筒状のシール部材と、
上記絶縁電線の上記端部から延出するように配設され、上記芯線と電気的に接続される金属端子と、
上記絶縁電線の上記シール部材被覆部位から上記金属端子の電気的接続部位までを少なくとも被覆する防水樹脂部と
を備え、
上記絶縁層がオレフィン系樹脂を主成分とし、
上記防水樹脂部がポリエステル、ポリアミド、エチレン−酢酸ビニル共重合体又はこれらの混合樹脂を主成分とし、
上記シール部材が、
エチレン系樹脂を主成分とする筒状の内層と、
この内層の外周側に積層され、ポリエステル、ポリアミド、エチレン−酢酸ビニル共重合体又はこれらの混合樹脂を主成分とする外層とを有する端子付電線。
【請求項２】
上記シール部材が、エチレン系樹脂を主成分とする筒状の基材層と、この基材層の外周側に積層され、ポリエステル、ポリアミド、エチレン−酢酸ビニル共重合体又はこれらの混合樹脂を主成分とする接着剤層とを備える熱収縮チューブに由来する請求項１に記載の端子付電線。
【請求項３】
導電性の芯線及びこの芯線の外周を被覆する絶縁層を有する絶縁電線の一方の端部近傍に熱収縮チューブを外挿する熱収縮チューブ外挿工程と、
上記外挿された熱収縮チューブを加熱する加熱工程と、
上記絶縁電線の上記端部の芯線に金属端子を電気的に接続させる接続工程と、
上記絶縁電線の上記熱収縮チューブ被覆部位から上記金属端子の電気的接続部位までを含むインサート部を金型のキャビティ内に配設する配設工程と、
上記キャビティ内に溶融した樹脂組成物を充填する注入工程と
を備え、
上記絶縁層がオレフィン系樹脂を主成分とし、
上記樹脂組成物がポリエステル、ポリアミド、エチレン−酢酸ビニル共重合体又はこれらの混合樹脂を主成分とし、
上記熱収縮チューブが、エチレン系樹脂を主成分とする筒状の基材層と、この基材層の外周側に積層され、ポリエステル、ポリアミド、エチレン−酢酸ビニル共重合体又はこれらの混合樹脂を主成分とする接着剤層とを有する端子付電線の製造方法。
【発明の詳細な説明】
【技術分野】
【０００１】
本発明は、端子付電線及びその製造方法に関する。
【背景技術】
【０００２】
自動車に搭載されるワイヤーハーネス等においては、防水性に優れる端子付電線が求められている。防水性に優れる端子付電線としては、例えば導電性の芯線及びこの芯線の外周を被覆する絶縁層を備える絶縁電線と、この絶縁電線の端部から延出するように配設され、絶縁電線の芯線と電気的に接続される金属端子と、絶縁電線の端部の絶縁層被覆部位から金属端子の電気的接続部位までを少なくとも被覆する防水樹脂部とを備えるものが挙げられる。
【０００３】
このような防水樹脂部を備える端子付電線では、絶縁電線の絶縁層と防水樹脂部との間の止水性を向上することが重要となるため、絶縁層及び防水樹脂部の間に接着層を設けることがある。この接着層を設けた端子付電線としては、例えば防水樹脂部に芳香族ナイロンを用い、絶縁層にオレフィン系樹脂を用い、かつ接着層に極性基で変性されたオレフィン系樹脂である変性オレフィン系樹脂を用いたものが提案されている（特開２０１３−１８７０４１号公報参照）。上記文献によれば、この端子付電線は、各部材に上述の合成樹脂を用いることにより、絶縁層及び防水樹脂部の間の止水性が接着層によって向上しているとされる。
【先行技術文献】
【特許文献】
【０００４】
【特許文献１】特開２０１３−１８７０４１号公報
【発明の概要】
【発明が解決しようとする課題】
【０００５】
しかしながら、近年、自動車に搭載されるワイヤーハーネス等においては、使用環境がますます厳しくなっているため、上記従来の端子付防水電線よりもさらに防水性を向上することが求められている。
【０００６】
本発明は上記事情に基づいてなされたものであり、防水性に優れる端子付電線を提供することを目的とする。
【課題を解決するための手段】
【０００７】
上記課題を解決するためになされた本発明の一態様に係る端子付電線は、導電性の芯線及びこの芯線の外周を被覆する絶縁層を有する絶縁電線と、この絶縁電線の一方の端部近傍に配設され、上記絶縁層の外周を被覆する筒状のシール部材と、上記絶縁電線の上記端部から延出するように配設され、上記芯線と電気的に接続される金属端子と、上記絶縁電線の上記シール部材被覆部位から上記金属端子の電気的接続部位までを少なくとも被覆する防水樹脂部とを備え、上記絶縁層がオレフィン系樹脂を主成分とし、上記防水樹脂部がポリエステル、ポリアミド、エチレン−酢酸ビニル共重合体又はこれらの混合樹脂を主成分とし、上記シール部材が、エチレン系樹脂を主成分とする筒状の内層と、この内層の外周側に積層され、ポリエステル、ポリアミド、エチレン−酢酸ビニル共重合体又はこれらの混合樹脂を主成分とする外層とを有する。
【０００８】
また、上記課題を解決するためになされた本発明の別の一態様に係る端子付電線の製造方法は、導電性の芯線及びこの芯線の外周を被覆する絶縁層を有する絶縁電線の一方の端部近傍に熱収縮チューブを外挿する熱収縮チューブ外挿工程と、上記外挿された熱収縮チューブを加熱する加熱工程と、上記絶縁電線の上記端部の芯線に金属端子を電気的に接続させる接続工程と、上記絶縁電線の上記熱収縮チューブ被覆部位から上記金属端子の電気的接続部位までを含むインサート部を金型のキャビティ内に配設する配設工程と、上記キャビティ内に溶融した樹脂組成物を充填する注入工程とを備え、上記絶縁層がオレフィン系樹脂を主成分とし、上記樹脂組成物がポリエステル、ポリアミド、エチレン−酢酸ビニル共重合体又はこれらの混合樹脂を主成分とし、上記熱収縮チューブが、エチレン系樹脂を主成分とする筒状の基材層と、この基材層の外周側に積層され、ポリエステル、ポリアミド、エチレン−酢酸ビニル共重合体又はこれらの混合樹脂を主成分とする接着剤層とを有する。
【発明の効果】
【０００９】
本発明の一態様に係る端子付電線は防水性に優れる。本発明の別の一態様に係る端子付電線の製造方法は防水性に優れる端子付電線を容易かつ確実に提供することができる。
【図面の簡単な説明】
【００１０】
【図１】本発明の一実施形態に係る端子付電線を示す模式的平面図である。
【図２】図１のＸ−Ｘ線における模式的断面図である。
【図３】図１の端子付電線の製造方法における一工程を示す模式的平面図である。
【図４】図３の工程の後の工程を示す模式的平面図である。
【図５】図４の工程の後の工程を示す模式的平面図である。
【発明を実施するための形態】
【００１１】
［本発明の実施形態の説明］
本発明の一態様に係る端子付電線は、導電性の芯線及びこの芯線の外周を被覆する絶縁層を有する絶縁電線と、この絶縁電線の一方の端部近傍に配設され、上記絶縁層の外周を被覆する筒状のシール部材と、上記絶縁電線の上記端部から延出するように配設され、上記芯線と電気的に接続される金属端子と、上記絶縁電線の上記シール部材被覆部位から上記金属端子の電気的接続部位までを少なくとも被覆する防水樹脂部とを備え、上記絶縁層がオレフィン系樹脂を主成分とし、上記防水樹脂部がポリエステル、ポリアミド、エチレン−酢酸ビニル共重合体又はこれらの混合樹脂を主成分とし、上記シール部材が、エチレン系樹脂を主成分とする筒状の内層と、この内層の外周側に積層され、ポリエステル、ポリアミド、エチレン−酢酸ビニル共重合体又はこれらの混合樹脂を主成分とする外層とを有する。
【００１２】
当該端子付電線は、絶縁電線の絶縁層及び防水樹脂部の間にシール部材が配設されている。このシール部材は、内層と外層との２層構造であり、これらの間は押出時に溶融状態で接合されるため、接着性が高く、また、内層の主成分が非極性樹脂のエチレン系樹脂であるため、同じく非極性樹脂のオレフィン系樹脂を主成分とする絶縁層との密着性に優れ、かつ外層の主成分が防水樹脂部と同様にポリエステル、ポリアミド、エチレン−酢酸ビニル共重合体又はこれらの混合樹脂であるため、防水樹脂部との密着性にも優れる。このように、当該端子付電線は、絶縁電線の絶縁層及び防水樹脂部の界面を介した電気的接続部位への浸水が、絶縁層及び防水樹脂部のいずれとも優れた密着性を発揮するシール部材によって抑制されるため、防水性に優れる。
【００１３】
上記シール部材が、エチレン系樹脂を主成分とする筒状の基材層と、この基材層の外周側に積層され、ポリエステル、ポリアミド、エチレン−酢酸ビニル共重合体又はこれらの混合樹脂を主成分とする接着剤層とを備える熱収縮チューブに由来するとよい。このように、シール部材が上記熱収縮チューブに由来することで、容易かつ確実にシール部材を形成できるため、製造コストを低減できると共に、シール部材における各層の膜厚の均一性等を向上して防水性をより向上できる。
【００１４】
本発明の別の一態様に係る端子付電線の製造方法は、導電性の芯線及びこの芯線の外周を被覆する絶縁層を有する絶縁電線の一方の端部近傍に熱収縮チューブを外挿する熱収縮チューブ外挿工程と、上記外挿された熱収縮チューブを加熱する加熱工程と、上記絶縁電線の上記端部の芯線に金属端子を電気的に接続させる接続工程と、上記絶縁電線の上記熱収縮チューブ被覆部位から上記金属端子の電気的接続部位までを含むインサート部を金型のキャビティ内に配設する配設工程と、上記キャビティ内に溶融した樹脂組成物を充填する注入工程とを備え、上記絶縁層がオレフィン系樹脂を主成分とし、上記樹脂組成物がポリエステル、ポリアミド、エチレン−酢酸ビニル共重合体又はこれらの混合樹脂を主成分とし、上記熱収縮チューブが、エチレン系樹脂を主成分とする筒状の基材層と、この基材層の外周側に積層され、ポリエステル、ポリアミド、エチレン−酢酸ビニル共重合体又はこれらの混合樹脂を主成分とする接着剤層とを有する。
【００１５】
当該端子付電線の製造方法は、熱収縮チューブ外挿工程及び加熱工程を備えることにより、絶縁電線の一方の端部近傍に、内層の主成分がエチレン系樹脂であり、かつ外層の主成分がポリエステル、ポリアミド、エチレン−酢酸ビニル共重合体又はこれらの混合樹脂であるシール部材を備える端子付電線を容易かつ確実に形成できる。この端子付電線は、絶縁電線の絶縁層及び防水樹脂部の界面を介した電気的接続部位への浸水が、絶縁層及び防水樹脂部のいずれとも優れた密着性を発揮するシール部材によって抑制されるため、防水性に優れる。
【００１６】
ここで「絶縁電線の端部近傍」とは、絶縁層の端部から１０ｃｍ以内の部位を示す。「主成分」とは、最も含有量の多い成分であり、例えば含有量が５０質量％以上の成分を指す。
【００１７】
［本発明の実施形態の詳細］
以下、本発明の実施形態に係る端子付電線及びその製造方法について図面を参照しつつ詳説する。
【００１８】
＜端子付電線＞
図１及び図２に示す当該端子付電線は、導電性の芯線１及びこの芯線１の外周を被覆する絶縁層２を有する絶縁電線３と、この絶縁電線３の一方の端部近傍に配設され、絶縁層２の外周を被覆する筒状のシール部材４と、絶縁電線３の上記端部から延出するように配設され、芯線１と電気的に接続される板状の金属端子５と、絶縁電線３のシール部材被覆部位ａから金属端子５の電気的接続部位ｂまでを少なくとも被覆する防水樹脂部６とを備える。
【００１９】
［絶縁電線］
絶縁電線３は、導電性の芯線１及びこの芯線１の外周を被覆する絶縁層２を有する。絶縁電線３の上記端部近傍では、芯線１は絶縁層２によって被覆されずに露出している。絶縁電線３の断面形状としては、特に限定されないが、例えば円形状、矩形状等とすることができる。
【００２０】
（芯線）
芯線１は、導電性を有する線状の部材であり、例えば銅、銅合金、アルミニウム、アルミニウム合金等の金属線により形成される。上記金属線の形状としては、特に限定されないが、例えば丸線、角線等とすることができる。芯線１は、単線であっても撚り線であってもよい。
【００２１】
（絶縁層）
絶縁層２は、オレフィン系樹脂を主成分とし、芯線１の外周を被覆する。ここでオレフィン系樹脂とは、オレフィン化合物に由来する構造単位を全構造単位に対して５０モル％以上有する合成樹脂である。オレフィン系化合物としては、例えばエチレン、プロピレン、ブテン、ブタジエン、スチレン等が挙げられる。オレフィン系樹脂としては、例えば高密度ポリエチレン、低密度ポリエチレン、超低密度ポリエチレン、直鎖状低密度ポリエチレン等のポリエチレン、ポリプロピレンなどのポリオレフィンや、酢酸ビニル、エチルアクリレート、ブチルアクリレート、メチルアクリレート等の極性基含有モノマーとオレフィン化合物との共重合体などが挙げられる。上記共重合体としては、例えばエチレン−酢酸ビニル共重合体、エチレン−アクリル酸メチル共重合体、エチレン−アクリル酸エチル共重合体、エチレン−アクリル酸ブチル共重合体等のエチレン−アクリル酸エステル共重合体、エチレン−メタクリル酸メチル共重合体、エチレン−メタクリル酸エチル共重合体、エチレン−メタクリル酸ブチル共重合体等のエチレン−メタクリル酸エステル共重合体、エチレン−ブテン共重合体、エチレン−オクテン共重合体等のエチレンと炭素数３以上の不飽和炭化水素との共重合体などが挙げられる。また、オレフィン系樹脂としては、架橋ポリエチレン、架橋ポリプロピレン等の架橋オレフィン系樹脂を用いることもできる。オレフィン系樹脂としては、ポリエチレンが好ましく、低密度ポリエチレンがより好ましい。
【００２２】
絶縁層２は、任意成分として、オレフィン系樹脂以外の他の合成樹脂や、滑剤、熱安定剤、酸化防止剤、老化防止剤、造核剤、可塑剤、架橋剤、離型剤、加工助剤、帯電防止剤、充填剤、着色剤等の添加剤などをさらに含有していてもよい。
【００２３】
［シール部材］
シール部材４は、内層４ａ及び外層４ｂの二層構造を有する筒状の部材であって、絶縁電線３の一方の端部近傍に配設され、絶縁層２の外周を被覆する。シール部材４は、絶縁層２及び防水樹脂部６の界面を介した芯線１及び金属端子５の電気的接続部位ｂへの浸水を抑制する。
【００２４】
シール部材４の軸方向平均長さの下限としては、１ｍｍが好ましく、５ｍｍがより好ましい。一方、シール部材４の軸方向平均長さの上限としては、５０ｍｍが好ましく、２０ｍｍがより好ましい。シール部材４の軸方向平均長さが上記下限より小さい場合、シール部材４の形成が困難となる傾向にある。一方、シール部材４の軸方向平均長さが上記上限を超える場合、防水樹脂部６が不必要に大きくなるおそれがある。また、後述するように、シール部材４を従来公知の熱収縮チューブを用いて形成する場合に、上記熱収縮チューブを用意する際の作業性が低下するおそれがある。
【００２５】
（内層）
内層４ａは、筒状であり、エチレン系樹脂を主成分とする。内層４ａは、非極性樹脂であるエチレン系樹脂を主成分とするため、同じく非極性樹脂であるオレフィン系樹脂を主成分とする絶縁層２との密着性に優れる。内層４ａの平均厚さとしては、例えば０．１ｍｍ以上１０ｍｍ以下とすることができる。
【００２６】
ここでエチレン系樹脂とは、エチレンに由来する構造単位を全構造単位に対して５０モル％以上有する合成樹脂である。エチレン系樹脂としては、例えば高密度ポリエチレン、低密度ポリエチレン、超低密度ポリエチレン、直鎖状低密度ポリエチレン等のポリエチレンや、酢酸ビニル、エチルアクリレート、ブチルアクリレート、メチルアクリレート等の極性基含有モノマーとエチレンとの共重合体などが挙げられる。上記共重合体としては、例えばエチレン−酢酸ビニル共重合体、エチレン−アクリル酸メチル共重合体、エチレン−アクリル酸エチル共重合体、エチレン−アクリル酸ブチル共重合体等のエチレン−アクリル酸エステル共重合体、エチレン−メタクリル酸メチル共重合体、エチレン−メタクリル酸エチル共重合体、エチレン−メタクリル酸ブチル共重合体等のエチレン−メタクリル酸エステル共重合体、エチレン−ブテン共重合体、エチレン−オクテン共重合体等のエチレンと炭素数３以上の不飽和炭化水素との共重合体などが挙げられる。また、エチレン系樹脂としては、架橋ポリエチレン等の架橋エチレン系樹脂を用いることもできる。エチレン系樹脂としては、ポリエチレンが好ましく、低密度ポリエチレンがより好ましい。
【００２７】
内層４ａは、任意成分として、エチレン系樹脂以外の合成樹脂や、絶縁層２において例示したものと同様の添加剤等をさらに含有していてもよい。
【００２８】
（外層）
外層４ｂは、内層４ａの外周側に積層され、ポリエステル、ポリアミド、エチレン−酢酸ビニル共重合体又はこれらの混合樹脂を主成分とする。外層４ｂは、防水樹脂部６と同様に、極性樹脂であるポリエステル、ポリアミド、エチレン−酢酸ビニル共重合体又はこれらの混合樹脂を主成分とするため、防水樹脂部６との密着性に優れる。ポリエステルとしては、例えばポリエチレンテレフタレート（ＰＥＴ）、ポリブチレンテレフタレート（ＰＢＴ）、ポリトリメチレンテレフタレート（ＰＴＴ）、ポリエチレンナフタレート（ＰＥＮ）、ポリブチレンナフタレート（ＰＢＮ）、ポリ１，４−シクロヘキシレンジメチレンテレフタレート（ＰＣＴ）等が挙げられる。ポリアミドとしては、例えばポリアミド６６（ＰＡ６６）、ポリアミド６１０（ＰＡ６１０）、ポリアミド６１２（ＰＡ６１２）、ポリアミド４６（ＰＡ４６）、ポリアミド６Ｔ（ＰＡ６Ｔ）、ポリアミド６Ｉ（ＰＡ６Ｉ）、ポリアミド９Ｔ（ＰＡ９Ｔ）、ポリアミドＭ５Ｔ（ＰＡＭ５Ｔ）、ポリアミド６（ＰＡ６）、ポリアミド１１（ＰＡ１１）、ポリアミド１２（ＰＡ１２）、ポリアミドＭＸＤ６（ＰＡＭＸＤ６）、ポリアミド６／６６共重合体（ＰＡ６／６６共重合体）、ポリアミド６／１２共重合体（ＰＡ６／１２共重合体）、ポリアミド６／１１共重合体（ＰＡ６／１１共重合体）、ポリメタフェニレンイソフタルアミド、ポリパラフェニレンテレフタルアミド等のアラミドなどが挙げられる。外層４ｂの主成分としては、ポリアミド及びエチレン−酢酸ビニル共重合体が好ましい。外層４ｂの平均厚さとしては、例えば５０μｍ以上２，０００μｍ以下とすることができる。
【００２９】
外層４ｂの主成分であるポリエステル、ポリアミド、エチレン−酢酸ビニル共重合体又はこれらの混合樹脂の温度１５０℃、荷重２．１６ｋｇでのメルトフローレート（ＭＦＲ）の下限としては、１ｇ／１０分が好ましく、８０ｇ／１０分がより好ましい。一方、上記ＭＦＲの上限としては、１，０００ｇ／１０分が好ましく、８００ｇ／１０分がより好ましい。上記ＭＦＲが上記下限より小さい場合、シール部材４の外層４ｂ及び防水樹脂部６の密着性が低下する傾向にある。逆に、上記ＭＦＲが上記上限を超える場合、防水樹脂部６を形成する際に外層４ｂが変形する傾向にある。ここで「ＭＦＲ」とは、ＪＩＳ−Ｋ６７６０：１９９７「ポリエチレン試験方法」で規定された押出し形プラストメータを用い、ＪＩＳ−Ｋ７２１０：１９９７「プラスチック−熱可塑性プラスチックのメルトマスフローレイト（ＭＦＲ）及びメルトボリュームフローレイト（ＭＶＲ）の試験方法」に準拠して測定した値である。
【００３０】
外層４ｂは、任意成分として、ポリエステル、ポリアミド及びエチレン−酢酸ビニル共重合体以外の合成樹脂や、絶縁層２において例示したものと同様の添加剤等をさらに含有してもよい。
【００３１】
シール部材４は、エチレン系樹脂を主成分とする筒状の基材層と、この基材層の外周側に積層され、ポリエステル、ポリアミド、エチレン−酢酸ビニル共重合体又はこれらの混合樹脂を主成分とする接着剤層とを備える熱収縮チューブに由来するとよい。このように、熱収縮チューブを用いることで、容易かつ確実にシール部材４を形成できるため、当該端子付電線の製造コストを低減できると共に、シール部材４における各層の膜厚の均一性等を向上でき、その結果、防水性をより向上できる。
【００３２】
［金属端子］
金属端子５は、絶縁電線３の上記端部から延出するように配設される板状の部材であり、芯線１と電気的に接続される。金属端子５は、当該端子付電線をバスバー、電装機器の端子、他の端子付電線の端子等に接続するために用いられる。金属端子５の材質としては、例えば芯線１において例示した金属材料と同様のもの等が挙げられる。
【００３３】
但し、図１及び２における金属端子５は板状であるが、金属端子５の形状としては特に限定されず、例えば棒状、筒状等の他の形状であってもよい。また、金属端子５における絶縁電線３とは反対側の端部には、他の部材が電気的に接続されていてもよい。さらに、金属端子５には、芯線１や他の部材に固定し易くするため、ネジ等を通すための貫通孔が設けられていてもよい。
【００３４】
芯線１及び金属端子５は、当接することで電気的に接続されていてもよく、ハンダ、導電性接着剤等により形成される導電性層を介して電気的に接続されていてもよい。また、芯線１及び金属端子５は、溶接により一体化していてもよい。
【００３５】
［防水樹脂部］
防水樹脂部６は、芯線１及び金属端子５の電気的接続部位ｂを保護する部材であり、ポリエステル、ポリアミド、エチレン−酢酸ビニル共重合体又はこれらの混合樹脂を主成分とし、絶縁電線３のシール部材被覆部位ａから金属端子５の電気的接続部位ｂまでを少なくとも被覆する。防水樹脂部６の形状としては、特に限定されないが、例えば長方体状等の角柱状や、円柱状などの柱状とすることができる。
【００３６】
防水樹脂部６の主成分の合成樹脂及び任意成分としては、例えば上述のシール部材４の外層４ｂにおいて例示したものと同様のもの等を挙げることができる。防水樹脂部６の主成分としては、ポリエステル及びポリアミドが好ましく、ＰＢＴ、アラミド、ＰＡ６Ｔ、ＰＡ６６及びＰＡ６がより好ましい。
【００３７】
［用途］
当該端子付電線は、自動車のワイヤーハーネス等として好適に用いることができる。また、当該端子付電線は、防水樹脂部６の主成分が防油性に優れる材料であるため、エンジンオイル、ブレーキオイル等の油の付着が想定される場所での使用に特に好適に用いることができる。
【００３８】
＜端子付電線の製造方法＞
以下、図１及び図２に示す当該端子付電線の好適な製造方法を説明する。図３〜図５に示す当該端子付電線の製造方法は、導電性の芯線１及びこの芯線１の外周を被覆する絶縁層２を有する絶縁電線３の一方の端部近傍に熱収縮チューブ７を外挿する熱収縮チューブ外挿工程と、外挿された熱収縮チューブ７を加熱する加熱工程と、絶縁電線３の上記端部の芯線１に金属端子５を電気的に接続させる接続工程と、絶縁電線３の熱収縮チューブ被覆部位ｃから金属端子５の電気的接続部位ｂまでを含むインサート部を金型８のキャビティｄ内に配設する配設工程と、キャビティｄ内に溶融した樹脂組成物を充填する注入工程とを備える。
【００３９】
なお、図３〜図５に示す当該端子付電線の製造方法では、熱収縮チューブ外挿工程、加熱工程及び接続工程をこの順番で行っているが、接続工程は、熱収縮チューブ外挿工程前、熱収縮チューブ外挿工程及び加熱工程の間、並びに加熱工程後のいずれのタイミングで行ってもよい。
【００４０】
［熱収縮チューブ外挿工程］
図３に示す本工程では、導電性の芯線１及びこの芯線１の外周を被覆する絶縁層２を有する絶縁電線３の一方の端部近傍に熱収縮チューブ７を外挿する。本工程で用いる絶縁電線３については、当該端子付電線において説明済みであるため、重複説明を省略する。
【００４１】
（熱収縮チューブ）
熱収縮チューブ７は、エチレン系樹脂を主成分とする筒状の基材層と、この基材層の外周側に積層され、ポリエステル、ポリアミド、エチレン−酢酸ビニル共重合体又はこれらの混合樹脂を主成分とする接着剤層とを有し、加熱により縮径する。熱収縮チューブ７の基材層及び接着剤層の主成分である合成樹脂及び任意成分については、当該端子付電線のシール部材４の内層４ａ及び外層４ｂにおいて例示したものとそれぞれ同様とすることができる。
【００４２】
ここで、一般的な熱収縮チューブは、基材層に相当する層の内周側に、接着剤層に相当する層が積層されている。つまり、一般的な熱収縮チューブは、本工程で用いる熱収縮チューブ７と比較し、内側及び外側の層が反対となっている。そのため、当該端子付電線の製造方法においては、一般的な熱収縮チューブを所望の長さに切断した後、一方の端部から捲るようにして裏返すことで、本工程に用いる熱収縮チューブ７を用意するとよい。これにより、一般的な熱収縮チューブから本工程に用いる熱収縮チューブ７を容易に形成することができる。
【００４３】
なお、一般的な熱収縮チューブの製造方法では、本工程で用いる熱収縮チューブ７を直接製造することは困難である。なぜなら、まず一般的な熱収縮チューブの製造では、筒状の基材層に相当する層と、この層の内周側に積層される接着剤層に相当する層とを有する多層体を用意し、この多層体を加熱しながら内部にシリンダ等を挿通させることで内圧をかけて拡径し、その後、拡径した多層体の形状を固定する。この方法により本工程で用いる熱収縮チューブ７を直接製造するためには、用意する上記多層体の層構造を内側及び外側で反対にする必要があるが、このような多層体は、内部にシリンダ等を挿通させる際に外側の接着剤層に相当する層が溶融して形状が崩れ易いためである。
【００４４】
熱収縮チューブ７としては、熱収縮後にその内径が絶縁電線３の外径よりも小さくなるものが好ましい。このような熱収縮チューブ７を用いることで、形成されるシール部材４が絶縁電線３を径方向に締め付けるため、シール部材４の内層４ａ及び絶縁電線３の絶縁層２の密着性をより向上することができる。絶縁電線３の外径に対する熱収縮チューブ７の熱収縮後の内径の比（熱収縮後の熱収縮チューブの内径／絶縁電線３の外径）の上限としては、０．９が好ましく、０．８がより好ましい。一方、上記比の下限としては、０．５が好ましい。
【００４５】
［加熱工程］
本工程では、熱収縮チューブ外挿工程により外挿された熱収縮チューブ７を加熱する。これにより、熱収縮チューブ７が縮径して絶縁電線３を被覆し、基材層からシール部材４の内層４ａが形成され、また接着剤層からシール部材４の外層４ｂが形成される。本工程において熱収縮チューブ７を加熱する方法としては、特に限定されないが、例えばヒートガン等により熱風を当てる方法や、所望の温度に設定した恒温槽内に配設する方法等が挙げられる。
【００４６】
当該端子付電線の製造方法では、熱収縮チューブ外挿工程及び加熱工程によりシール部材４を形成することができ、シール部材４の形成のために樹脂組成物を塗工する工程等の比較的手間のかかる工程を省略できるため、当該端子付電線を容易かつ確実に製造することができる。
【００４７】
［接続工程］
図４に示す本工程では、加熱工程後に、絶縁電線３の上記端部の芯線１に金属端子５を電気的に接続させる。本工程で用いる金属端子５については、当該端子付電線において説明済みであるため、重複説明を省略する。
【００４８】
本工程で芯線１及び金属端子５を電気的に接続させる方法としては、例えば単に芯線１及び金属端子５を当接させる方法、ハンダ付け、導電性接着剤等により芯線１及び金属端子５を接着させる方法、芯線１及び金属端子５を超音波溶接等により溶接する方法等が挙げられる。
【００４９】
［配設工程］
図５に示す本工程では、接続工程後に、絶縁電線３の熱収縮チューブ被覆部位ｃから金属端子５の電気的接続部位ｂまでを含むインサート部を金型８のキャビティｄ内に配設する。
【００５０】
［注入工程］
本工程では、配設工程後に、インサート部を配設した金型８のキャビティｄ内に溶融した樹脂組成物を充填する。本工程に用いる樹脂組成物としては、当該端子付電線の防水樹脂部６と同組成のものを用いることができる。本工程において金型８のキャビティｄ内に溶融した樹脂組成物を充填する方法としては、例えば射出成形法、トランスファー成形法等が挙げられる。
【００５１】
本工程により、インサート部が溶融した樹脂組成物に被覆され、その後、この樹脂組成物が放冷によって固化することで防水樹脂部６が形成される。また、本工程では、金型８のキャビティｄ内に溶融した樹脂組成物を充填することで、シール部材４の外層４ｂが一時的に軟化し、形成される防水樹脂部６と優れた密着性を発揮できる。本工程の後、金型８を外すことにより、図１及び図２に示す当該端子付電線が得られる。
【００５２】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００５３】
当該端子付電線は、絶縁電線の両端に金属端子が電気的に接続されていてもよい。また、シール部材は、内層及び外層の間に積層される他の層をさらに有していてもよい。さらに、絶縁電線の絶縁層は、多層構造であってもよい。
【００５４】
当該端子付電線のシール部材を形成する方法としては、当該端子付電線の製造方法において説明した熱収縮チューブを用いる方法以外にも、例えば樹脂組成物を塗工する方法等を用いることもできる。
【実施例】
【００５５】
以下、実施例によって本発明をさらに具体的に説明するが、本発明は以下の実施例に限定されるものではない。
【００５６】
［端子付電線の作製］
（Ｎｏ．１の端子付電線）
表１のＮｏ．１の端子付電線を、以下のようにして作製した。芯線として、導体：１５ｓｑ：０．１８ｍｍの素線を３０本の撚線としたのち、この撚線を１９本の撚線とした撚撚構造としたもの（導体の外径：５．５ｍｍ）を用い、この芯線上に、低密度ポリエチレンを用い、厚さ１．２５ｍｍとなるように押出被覆して絶縁層を形成し、絶縁電線を得た（電線の外径：８ｍｍ）。次に、この得られた絶縁電線と共に、防水樹脂部をＰＢＴを用いて、シール部材の内層を低密度ポリエチレンを用いて、シール部材の外層をポリアミドを用いて形成し、Ｎｏ．１の端子付電線を得た。
【００５７】
（Ｎｏ．２〜Ｎｏ．８の端子付電線）
絶縁電線の絶縁層、防水樹脂部、並びにシール部材の内層及び外層を、下記表１及び表２に記載の樹脂を用いて形成した以外は、Ｎｏ．１の端子付電線と同様にして、Ｎｏ．２〜Ｎｏ．８の端子付電線を作製した。
【００５８】
［評価］
上記得られたＮｏ．１〜Ｎｏ．８の端子付電線の防水性を、下記方法に従い評価を行った。評価結果を表１及び表２に合わせて示す。
【００５９】
（防水性）
上記作製した端子付電線を、１５０℃で１，５００時間、耐熱試験機に投入した後、端子付電線の防水樹脂部の端子端部を密閉し、水中で電線後端から０．２ＭＰａの圧縮空気を送り、防水樹脂部の電線側端部からの気泡の有無を確認することにより、端子付電線の防水性を評価した。気泡が確認されない場合を「良」と、気泡が確認された場合は「不良」と評価した。
【００６０】
【表１】
2019008988.tif 000003
【００６１】
【表２】
2019008988.tif 000004
【００６２】
表１及び表２の結果より、絶縁電線の絶縁層、防水樹脂部、並びにシール部材の内層及び外層として、上記樹脂を主成分として用いるＮｏ．１、Ｎｏ．２、Ｎｏ．５及びＮｏ．６の端子付電線は、防水性に優れていることが分かる。一方、Ｎｏ．３、Ｎｏ．４、Ｎｏ．７及びＮｏ．８の端子付電線は、シール部材の内層及び外層について、上記樹脂を主成分として用いておらず、防水性が劣っていた。
【産業上の利用可能性】
【００６３】
本発明の一態様に係る端子付電線は防水性に優れる。本発明の別の一態様に係る端子付電線の製造方法は防水性に優れる端子付電線を容易かつ確実に提供することができる。
【符号の説明】
【００６４】
１  芯線
２  絶縁層
３  絶縁電線
４  シール部材
４ａ  内層
４ｂ  外層
５  金属端子
６  防水樹脂部
７  熱収縮チューブ
８  金型
ａ  シール部材被覆部位
ｂ  電気的接続部位
ｃ  熱収縮チューブ被覆部位
ｄ  キャビティ
【図１】
2019008988.tif 000005
【図２】
2019008988.tif 000006
【図３】
2019008988.tif 000007
【図４】
2019008988.tif 000008
【図５】
2019008988.tif 000009